(57)【要約】【課題】電気回路を複雑化することなく、電気特性および組立性を良好にできる光ピックアップを提供する。【解決手段】光源からの光を集光する対物レンズ１と、光源からの光の波面を電気的光学効果により補正する収差補正素子７と、対物レンズ１および収差補正素子７を保持するホルダ２と、ホルダ２を記録媒体のほぼ垂直方向および／またはトラックを横断する方向に移動可能に支持する支持手段（１０ａ〜１０ｐ，８ａ，８ｂ）とを少なくとも有する光ピックアップにおいて、収差補正素子７に給電するための、屈曲部を有する金属製のバネ（１５ａ〜１５ｐ）を備える。【選択図】図１
2005222648.tif 000002
【特許請求の範囲】
【請求項１】
光源からの光を集光する対物レンズと、
上記光源からの光の波面を電気的光学効果により補正する収差補正素子と、
上記対物レンズおよび上記収差補正素子を保持するホルダと、
該ホルダを記録媒体のほぼ垂直方向および／またはトラックを横断する方向に移動可能に支持する支持手段とを少なくとも有する光ピックアップにおいて、
上記収差補正素子に給電するための、屈曲部を有する金属製のバネを備えることを特徴とする光ピックアップ。
【請求項２】
上記金属製のバネの屈曲部は、弓なりに湾曲した形状を有することを特徴とする請求項１に記載の光ピックアップ。
【請求項３】
上記金属製のバネの屈曲部は、バネ全体の長手方向に伸縮する形状を有することを特徴とする請求項１に記載の光ピックアップ。
【請求項４】
上記金属製のバネの屈曲部は、コイル形状を有することを特徴とする請求項１または３に記載の光ピックアップ。
【請求項５】
上記金属製のバネは、上記対物レンズの光軸または光軸と平行な軸に関して、回転対称に配置されていることを特徴とする請求項１〜４のいずれか一項に記載の光ピックアップ。
【請求項６】
上記金属製のバネは、上記対物レンズの光軸を通る面または光軸と平行な面に関して、対称に配置されていることを特徴とする請求項１〜４のいずれか一項に記載の光ピックアップ。
【請求項７】
上記支持手段は弾性支持手段からなり、該弾性支持手段のバネ定数は、上記金属製のバネのバネ定数より大きいことを特徴とする請求項１〜６のいずれか一項に記載の光ピックアップ。
【請求項８】
上記ホルダは、該ホルダを記録媒体のほぼ垂直方向および／またはトラックを横断する方向に駆動するためのコイルを備え、上記支持手段は金属製の弾性支持手段からなり、該弾性支持手段は上記コイルへの給電手段を兼ねていることを特徴とする請求項１〜７のいずれか一項に記載の光ピックアップ。
【請求項９】
光源からの光を集光する対物レンズと、
該対物レンズを保持するホルダと、
該ホルダを記録媒体のほぼ垂直方向および／またはトラックを横断する方向に移動可能に支持すると共に、記録媒体に平行な軸を中心に回転可能に支持する支持手段と、
上記ホルダを記録媒体のほぼ垂直方向および／またはトラックを横断する方向に駆動する駆動手段と、
上記ホルダに設けられ、該ホルダを記録媒体に平行な軸を中心に回転駆動するためのチルトコイルとを少なくとも有する光ピックアップにおいて、
上記チルトコイルに給電するための、屈曲部を有する金属製のバネを備えることを特徴とする光ピックアップ。
【請求項１０】
上記金属製のバネの屈曲部は、弓なりに湾曲した形状を有することを特徴とする請求項９に記載の光ピックアップ。
【請求項１１】
上記金属製のバネの屈曲部は、バネ全体の長手方向に伸縮する形状を有することを特徴とする請求項９に記載の光ピックアップ。
【請求項１２】
上記金属製のバネの屈曲部は、コイル形状を有することを特徴とする請求項９または１１に記載の光ピックアップ。
【請求項１３】
上記金属製のバネは、上記対物レンズの光軸または光軸と平行な軸に関して、回転対称に配置されていることを特徴とする請求項９〜１２のいずれか一項に記載の光ピックアップ。
【請求項１４】
上記金属製のバネは、上記対物レンズの光軸を通る面または光軸と平行な面に関して、対称に配置されていることを特徴とする請求項９〜１２のいずれか一項に記載の光ピックアップ。
【請求項１５】
上記支持手段は弾性支持手段からなり、該弾性支持手段のバネ定数は、上記金属製のバネのバネ定数より大きいことを特徴とする請求項９〜１４のいずれか一項に記載の光ピックアップ。
【請求項１６】
上記ホルダは、該ホルダを記録媒体のほぼ垂直方向および／またはトラックを横断する方向に駆動するためのコイルを備え、上記支持手段は金属製の弾性支持手段からなり、該弾性支持手段は上記コイルへの給電手段を兼ねていることを特徴とする請求項９〜１５のいずれか一項に記載の光ピックアップ。
【発明の詳細な説明】
【技術分野】
【０００１】
本発明は、光学的に情報の記録／再生を行う光ディスクドライブ装置に設けられる光ピックアップに関するものである。
【背景技術】
【０００２】
光学式記録再生装置は、波長７８０ｎｍのレーザを使用したＣＤから波長６６０ｎｍのレーザを使用したＤＶＤ、さらに波長４０５ｎｍのレーザを使用したディスクの採用と、波長を短くすることによる高密度化が進められている。同時にＮＡについても、ＣＤの０．４５からＤＶＤの０．６と、さらに大きくすることによる高密度化が進められている。
【０００３】
このように、波長を短く、ＮＡを大きくしていくと、各種光学特性に対する許容量が減少し、記録媒体のカバーガラス厚さのずれなどによって発生する球面収差も許容できなくなり、球面収差補正手段が必要となる。
【０００４】
その球面収差補正手段の１つとして、液晶素子の電気的光学効果を利用した収差補正素子が知られている。この収差補正素子は、球面収差を補正するのに適した電極構成を持つ液晶素子に適切な電圧を加えることにより、球面収差を補正して良好な光学特性を得るものである。
【０００５】
しかし、この場合の収差補正素子の電極構成は、通常、同心円状であるため、その中心を精度良く対物レンズの光軸と一致させないと、コマ収差などが発生してしまい、特性が劣化してしまうことになる。
【０００６】
これに対し、対物レンズは、記録媒体の面振れや記録媒体のセット時のずれなどに起因するトラックのずれなどに追従するために、記録媒体のほぼ垂直方向やトラックを横切る方向に移動可能な機構に取り付ける必要がある。なお、一般に、光学系は固定された部分に設けられ、対物レンズのみがアクチュエータと呼ばれる記録媒体のほぼ垂直方向やトラックを横切る方向に駆動可能な機構に搭載されている。
【０００７】
このため、特に、対物レンズがトラックを横切る方向に駆動されると、対物レンズの光軸と収差補正素子の中心とがずれて、上述したようにコマ収差が発生するという問題が生じることになる。
【０００８】
このような問題を解決し得るものとして、例えば、対物レンズと液晶素子を用いた収差補正機構とを、フォーカスコイルおよびトラッキングコイルを有する同じボビンに搭載して、両者を一緒に移動させるようにしたアクチュエータが知られている（例えば、特許文献１参照）。かかるアクチュエータによると、対物レンズと収差補正機構とが一体に駆動されるので、対物レンズが駆動されることによって対物レンズと収差補正機構との中心がずれるという問題を防ぐことができる。
【０００９】
ところが、特許文献１に開示のアクチュエータにおいては、細い棒状のバネである４本のサスペンションを介してボビンを記録媒体のほぼ垂直方向およびトラックを横切る方向に移動可能に支持すると共に、この４本のサスペンションを介して、収差補正機構に供給する信号と、ボビンに搭載されたフォーカスコイルおよびトラッキングコイルに供給する信号とを重畳してボビンに供給するようにしている。このため、信号の重畳回路が必要となって、回路構成が複雑になることが懸念される。また、重畳した信号をきれいに分離できないことや、重畳したことによるノイズの発生などにより特性が劣化することも懸念されると共に、収差補正機構の端子の数によっては、重畳しても４本のサスペンションでは不足する場合もある。
【００１０】
一方、従来のアクチュエータとして、対物レンズ、フォーカスコイルおよびトラッキングコイルを備えたレンズホルダに、トラッキングエラー検出用の一対の光センサを搭載し、レンズホルダを、フォーカスコイルおよびトラッキングコイルへの給電用の４本のワイヤバネと、一対の光センサの出力を中継するための少なくとも３本のワイヤバネとによって、記録媒体のほぼ垂直方向およびトラックを横切る方向に移動可能に支持したものが知られている（例えば、特許文献２参照）。
【００１１】
したがって、この特許文献２に開示の技術を上記の特許文献１に開示のアクチュエータに適用して、フォーカスコイルおよびトラッキングコイルへの給電用の４本のサスペンションと、収差補正機構への給電用の複数本のサスペンションとによって、ボビンを記録媒体のほぼ垂直方向およびトラックを横切る方向に移動可能に支持すれば、信号を重畳することなく、収差補正機構に給電することができる。また、収差補正機構の端子の数が多い場合には、追加するワイヤバネの本数を増やすことで、対応することができる。
【特許文献１】特開２００３−６９０２公報
【特許文献２】特開平８−７３０３公報
【発明の開示】
【発明が解決しようとする課題】
【００１２】
しかしながら、上記のように収差補正機構への給電用のワイヤバネを追加する場合には、全てのワイヤバネの組立精度がよくないと、ボビンの本来の動きが阻害されることになる。すなわち、ボビンは本来の４本のワイヤバネによって、記録媒体のほぼ垂直方向およびトラックを横切る方向の動きが確定するので、５本目のワイヤバネに長さや取り付け位置などにずれがあると、本来の４本のワイヤバネと同じ動きができないばかりでなく、それらの動きを阻害することになる。このような組立ずれによる動きの阻害可能性は、ワイヤバネが６本、７本と本数が増えるに従って高くなる。このため、高い組立精度が要求されて、組立性が悪くなる。
【００１３】
なお、光ピックアップの光学特性を向上させるためには、球面収差のほかに、対物レンズを記録媒体に対して正しい向きに向けて、傾きによるコマ収差などの発生を防止することも重要であり、そのためには、対物レンズを備えたホルダを、通常の記録媒体のほぼ垂直方向およびトラックを横切る方向の２方向の他に、傾かせる方向に動かす必要がある。
【００１４】
この場合、ホルダの軽量化という点では、ホルダを各方向に動かすためのコイルはホルダに搭載するのが有利であることから、各コイルへの給電用のワイヤバネは、１方向で２本ずつの、合計６本のワイヤバネが必要となる。このため、この場合にも、ホルダを支持するワイヤバネが４本以上必要となって、上記の球面収差補正の場合と同様に、高い組立精度が要求されて、組立性が悪くなる。
【００１５】
したがって、上記の事情に鑑みてなされた本発明の目的は、電気回路を複雑化することなく、電気特性および組立性を良好にできる光ピックアップを提供することにある。
【課題を解決するための手段】
【００１６】
上記目的を達成する請求項１に係る発明は、
光源からの光を集光する対物レンズと、
上記光源からの光の波面を電気的光学効果により補正する収差補正素子と、
上記対物レンズおよび上記収差補正素子を保持するホルダと、
該ホルダを記録媒体のほぼ垂直方向および／またはトラックを横断する方向に移動可能に支持する支持手段とを少なくとも有する光ピックアップにおいて、
上記収差補正素子に給電するための、屈曲部を有する金属製のバネを備えることを特徴とするものである。
【００１７】
請求項２に係る発明は、請求項１に記載の光ピックアップにおいて、上記金属製のバネの屈曲部は、弓なりに湾曲した形状を有することを特徴とするものである。
【００１８】
請求項３に係る発明は、請求項１に記載の光ピックアップにおいて、上記金属製のバネの屈曲部は、バネ全体の長手方向に伸縮する形状を有することを特徴とするものである。
【００１９】
請求項４に係る発明は、請求項１または３に記載の光ピックアップにおいて、上記金属製のバネの屈曲部は、コイル形状を有することを特徴とするものである。
【００２０】
請求項５に係る発明は、請求項１〜４のいずれか一項に記載の光ピックアップにおいて、上記金属製のバネは、上記対物レンズの光軸または光軸と平行な軸に関して、回転対称に配置されていることを特徴とするものである。
【００２１】
請求項６に係る発明は、請求項１〜４のいずれか一項に記載の光ピックアップにおいて、上記金属製のバネは、上記対物レンズの光軸を通る面または光軸と平行な面に関して、対称に配置されていることを特徴とするものである。
【００２２】
請求項７に係る発明は、請求項１〜６のいずれか一項に記載の光ピックアップにおいて、上記支持手段は弾性支持手段からなり、該弾性支持手段のバネ定数は、上記金属製のバネのバネ定数より大きいことを特徴とするものである。
【００２３】
請求項８に係る発明は、請求項１〜７のいずれか一項に記載の光ピックアップにおいて、上記ホルダは、該ホルダを記録媒体のほぼ垂直方向および／またはトラックを横断する方向に駆動するためのコイルを備え、上記支持手段は金属製の弾性支持手段からなり、該弾性支持手段は上記コイルへの給電手段を兼ねていることを特徴とするものである。
【００２４】
さらに、上記目的を達成する請求項９に係る発明は、
光源からの光を集光する対物レンズと、
該対物レンズを保持するホルダと、
該ホルダを記録媒体のほぼ垂直方向および／またはトラックを横断する方向に移動可能に支持すると共に、記録媒体に平行な軸を中心に回転可能に支持する支持手段と、
上記ホルダを記録媒体のほぼ垂直方向および／またはトラックを横断する方向に駆動する駆動手段と、
上記ホルダに設けられ、該ホルダを記録媒体に平行な軸を中心に回転駆動するためのチルトコイルとを少なくとも有する光ピックアップにおいて、
上記チルトコイルに給電するための、屈曲部を有する金属製のバネを備えることを特徴とするものである。
【００２５】
請求項１０に係る発明は、請求項９に記載の光ピックアップにおいて、上記金属製のバネの屈曲部は、弓なりに湾曲した形状を有することを特徴とするものである。
【００２６】
請求項１１に係る発明は、請求項９に記載の光ピックアップにおいて、上記金属製のバネの屈曲部は、バネ全体の長手方向に伸縮する形状を有することを特徴とするものである。
【００２７】
請求項１２に係る発明は、請求項９または１１に記載の光ピックアップにおいて、上記金属製のバネの屈曲部は、コイル形状を有することを特徴とするものである。
【００２８】
請求項１３に係る発明は、請求項９〜１２のいずれか一項に記載の光ピックアップにおいて、上記金属製のバネは、上記対物レンズの光軸または光軸と平行な軸に関して、回転対称に配置されていることを特徴とするものである。
【００２９】
請求項１４に係る発明は、請求項９〜１２のいずれか一項に記載の光ピックアップにおいて、上記金属製のバネは、上記対物レンズの光軸を通る面または光軸と平行な面に関して、対称に配置されていることを特徴とするものである。
【００３０】
請求項１５に係る発明は、請求項９〜１４のいずれか一項に記載の光ピックアップにおいて、上記支持手段は弾性支持手段からなり、該弾性支持手段のバネ定数は、上記金属製のバネのバネ定数より大きいことを特徴とするものである。
【００３１】
請求項１６に係る発明は、請求項９〜１５のいずれか一項に記載の光ピックアップにおいて、上記ホルダは、該ホルダを記録媒体のほぼ垂直方向および／またはトラックを横断する方向に駆動するためのコイルを備え、上記支持手段は金属製の弾性支持手段からなり、該弾性支持手段は上記コイルへの給電手段を兼ねていることを特徴とするものである。
【発明の効果】
【００３２】
請求項１に係る発明によれば、電気回路を複雑化することなく、電気特性を良好にでき、組立性も良くすることができる。また、収差補正素子への配線が増えても対応できる。
【００３３】
請求項２に係る発明によれば、組立をより容易にできる。
【００３４】
請求項３〜７に係る各発明によれば、本来の支持手段への影響を小さくでき、高性能化が図れる。
【００３５】
請求項８に係る発明によれば、収差補正素子への給電手段を別途設けるメリットが大きく得られる。
【００３６】
請求項９に係る発明によれば、電気回路を複雑化することなく、電気特性を良好にでき、組立性も良くすることができる。
【００３７】
請求項１０に係る発明によれば、組立をより容易にできる。
【００３８】
請求項１１〜１５に係る各発明によれば、本来の支持手段への影響を小さくでき、高性能化が図れる。
【００３９】
請求項１６に係る発明によれば、チルトコイルへの給電手段を別途設けるメリットが大きく得られる。
【発明を実施するための最良の形態】
【００４０】
以下、本発明による光ピックアップの実施の形態について、図１〜図２３を参照して説明する。
【００４１】
（第１実施の形態）
図１〜図１０は本発明の第１実施の形態を示すもので、図１は上面図、図２は図１のＡ−Ａ線断面図、図３は図２のＣ矢視図（ベース１２は図示せず）であり、図４〜図６は磁気回路周りを示すもので（バネ１０、１５の図示および断面のハッチングは省略）、図４は図２のＢ−Ｂ線断面図、図５は図４のＤ矢視図、図６は図４の要部のＥ矢視図であり、図７〜図１０は第１実施の形態の変形例をそれぞれ説明するための図である。
【００４２】
図１および図２において、液晶ポリマーなどの合成樹脂で作られたホルダ２には、対物レンズ１と電気的光学効果を有する収差補正素子である液晶素子７とが、両者の光軸中心が一致するように精度良く接着固定されている。
【００４３】
ホルダ２には、図４および図６に示すように、フォーカスコイル４ａ、４ｂ、トラッキングコイル６ａ〜６ｄも接着されている。図６に示すハッチング部３ａ〜３ｅは、図５に示すように、ホルダ２より凸形状に形成され、この部分で、フォーカスコイル４ａ、トラッキングコイル６ａ、６ｂの内側を位置決めして固定している。フォーカスコイル４ｂ、トラッキングコイル６ｃ、６ｄについても同様に、ホルダ２に形成された凸形状３ｆ〜３ｊ（３ｇ〜３ｊは図示せず）によって位置決め固定される。
【００４４】
図２に示すように、ホルダ２には、さらに、ベリリウム銅で作られたイタバネ８ａ、８ｂの一端が固定されている。イタバネ８ａ、８ｂの他端は、液晶ポリマーなどの合成樹脂で作られたバネウケ９に固定されている。これにより、ホルダ２は、バネウケ９に対して記録媒体のトラックを横断するトラックを横切る方向（Ｘ方向）に移動可能に支持されていることになる。
【００４５】
バネウケ９には、ベリリウム銅製のイタバネ１０ａ〜１０ｐの一端も固定されている。イタバネ１０ａ〜１０ｐの他端は、ＰＰＳ樹脂などの合成樹脂で作られたべース１１に固定されている。イタバネ１０ａ〜１０ｐは、図３に示すように、弓なりに湾曲した形状の屈曲部を有して成り、屈曲部以外では一体となって、全体としては１枚のバネとなっており、取り付け作業を容易としている。イタバネ１０ａ〜１０ｐは、屈曲部が直線に近づくような形に変形することで、バネウケ９がベース１１に対して記録媒体のほぼ垂直方向（Ｚ方向）に移動可能となる。
【００４６】
以上のイタバネ８ａ、８ｂおよびイタバネ１０ａ〜１０ｐを有して支持手段が構成され、これにより、ホルダ２は、ベース１１に対して、記録媒体のトラックを横断する方向（Ｘ方向）および記録媒体のほぼ垂直方向（Ｚ方向）に移動可能に支持されていることになる。
【００４７】
ベース１１は、鉄製のベース１２に固定されている。ベース１２の立ち上げ部１２ａ、１２ｂには、図５に示すように、磁石１３ａ、１３ｂが、Ｎ極とＳ極が対向するように配置されており、磁石１３ａから磁石１３ｂに向けて矢印１４のように磁束が進み、磁石１３ｂに到達した磁束は、ベース１２を通って磁石１３ａに戻るようになっている。
【００４８】
図６を参照して、磁界とコイルとの関係を説明する。磁石の位置を２点鎖線１３’で示す。この２点鎖線１３’で囲まれた範囲内の磁束密度は高く、主にこの範囲内にあるコイルの辺が磁界から力を受ける。フォーカスコイル４ａは、２点鎖線１３’の範囲内にある辺５ａが主に磁界より力を受けてＺ方向に駆動力を発生する。トラッキングコイル６ａ、６ｂは、２点鎖線１３’の範囲内にある辺５ｂ、５ｃが主に磁界より力を受けてＸ方向に駆動力を発生する。辺５ｄ〜５ｇも２点鎖線１３’の範囲内にあるが、辺５ｄと５ｅ、辺５ｆと５ｇは電流の向きが逆となり、発生する駆動力も逆向きとなる。したがって、駆動力は打ち消しあい、ホルダ２の移動には無関係となる。なお、フォーカスコイル４ｂ、トラッキングコイル６ｃ、６ｄについても同様である。
【００４９】
図１に示すように、ホルダ２には、ベリリウム銅製のイタバネ１５ａ〜１５ｐの一端も固定されている。なお、図１では、図が煩雑となるため、イタバネ１０ａ〜１０ｐについては、２点鎖線で示している。ベリリウム銅製のイタバネ１５ａ〜１５ｐの他端はベース１１に固定されている。イタバネ１５ａ〜１５ｐは、イタバネ１０ａ〜１０ｐと異なり、１個、１個分離した形状となっている。イタバネ１５ａ〜１５ｐのホルダ２側の端部に設けられた幅広部１７ａ〜１７ｐには、液晶素子７およびフォーカスコイル４ａ、４ｂ、トラッキングコイル６ａ〜６ｄが接続されている（端末などは図示せず）。また、イタバネ１５ａ〜１５ｐのベース１１側の端部に設けられた幅広部１６ａ〜１６ｐは、外部に設けられた電気回路と接続される。液晶素子７およびフォーカスコイル４ａ、４ｂ、トラッキングコイル６ａ〜６ｄは、イタバネ１５ａ〜１５ｐを介して、外部の電気回路と接続されていることになる。
【００５０】
イタバネ１５ａ〜１５ｐは、弓なりに湾曲した屈曲部を有して成り、この屈曲部が撓むことにより、ホルダ２の動きを阻害することはない。また、ホルダ２の動きを阻害しないように、ホルダ２を支持するためのイタバネ１５ａ〜１５ｐは、イタバネ８ａ、８ｂ、１０ａ〜１０ｐに比べて、厚さや幅を小さくし、イタバネ１５ａ〜１５ｐの合成したバネ定数を、イタバネ８ａ、８ｂの合成バネ定数およびイタバネ１０ａ〜１５ｐの合成バネ定数より小さくしている。
【００５１】
また、ホルダ２が動いたときに、イタバネ１５ａ〜１５ｐが偏った力を加えないように、光軸を通りＸ方向に垂直な面１８に関し、イタバネ１５ａ〜１５ｐは対称な形状とされている。さらに、光軸を通りＸ方向に平行な面１９に関しても、イタバネ１５ａ〜１５ｐは対称な形状とされている。
【００５２】
次に、以上のように構成された本実施の形態の動作を説明する。
【００５３】
図示していない光学系より発せられたレーザ光は、液晶素子７を経由して、対物レンズ１によって、図示していない記録媒体上にスポットを形成する。記録媒体よりの反射光は再び対物レンズ１および液晶素子７を通って光学系に戻り、フォーカスエラー、トラッキングエラーおよび記録信号の検出が行われる。また、さらに球面収差の検出も行われる。
【００５４】
フォーカスエラーが検出された場合は、フォーカスコイル４ａ、４ｂに電流を流すことによってホルダ２を記録媒体に垂直な方向に駆動する。トラッキングエラーが検出された場合は、トラッキングコイル６ａ〜６ｄに電流を流すことによってホルダ２を記録媒体の半径方向に駆動する。以上のようにして、ホルダ２およびそれに固定された対物レンズ１はフォーカス制御、トラッキング制御される。さらに、記録媒体のカバーガラス厚のばらつきなどによって、球面収差が発生し、球面収差が検出されたときには、液晶素子７に電圧を加えて波面を補正し、球面収差を補正する。これらの動作は、ホルダ２上のフォーカスコイル４ａ、４ｂ、トラッキングコイル６ａ〜６ｄ、液晶素子７に、イタバネ１５ａ〜１５ｐを経由して給電されることによって行われる。
【００５５】
本実施の形態よれば、イタバネ１５ａ〜１５ｐを用いて、液晶素子７への給電を行うことで、少ない線に信号を重畳する必要がなく、電気回路を単純化できると共に、電気特性を良好にできる。また、イタバネ１５ａ〜１５ｐを使うことで、リッツ線などで配線するのに比べて組立性も良好にできる。また、配線数が増えても、イタバネの数を増やすことで対応できるので、より複雑なパターンの電極をもつ液晶素子にも容易に対応することができる。
【００５６】
さらに、弓なりに湾曲したイタバネ１５ａ〜１５ｐを使用することで、バネを撓み易くし、取り付け位置のずれなどの影響を小さくでき、さらに組立性を良好にできる。また、イタバネ１５ａ〜１５ｐを、面１８や面１９に対して対称に配置することで、ホルダ２が動いたときにイタバネ１５ａ〜１５ｐからホルダ２に加わる力のバランスを良くすることができ、ホルダ２が傾くなど、本来の支持系イタバネ１０ａ〜１０ｐおよびイタバネ８ａ、８ｂの動きに対するイタバネ１５ａ〜１５ｐの影響を軽減し、性能を良くすることができる。
【００５７】
また、イタバネ１５ａ〜１５ｐの合成したバネ定数を、イタバネ８ａ、８ｂの合成でのバネ定数およびイタバネ１０ａ〜１５ｐの合成でのバネ定数より小さくすることでも、本来の支持系イタバネ１０ａ〜１０ｐおよびイタバネ８ａ、８ｂよりも、イタバネ１５ａ〜１５ｐのホルダ２への影響を低減でき、性能を良くすることができる。
【００５８】
なお、本実施の形態では、イタバネ１５ａ〜１５ｐを面対称に配置したが、図７に示すイタバネ２１ａ〜２１ｐのように、対物レンズ１の光軸２０を中心に回転対称な形に配置しても良い。この場合も、イタバネ２１ａ〜２１ｐからホルダ２に加わる力のバランスを良くすることができ、ホルダ２が傾くなど、本来の支持系イタバネ１０ａ〜１０ｐおよびイタバネ８ａ、８ｂの動きに対するイタバネ２１ａ〜２１ｐの影響を軽減し、性能を良くすることができる。
【００５９】
また、イタバネ１５ａ〜１５ｐの形状は、ホルダ２の形状に応じて種々変形可能である。例えば、図８に示すイタバネ２２ａ〜２２ｌのように、等間隔に光軸２０を中心として回転対称に配置しても良い。この場合、等間隔であるので、さらにイタバネ２２ａ〜２２ｌの力のバランスが良く、より本来の支持系イタバネ１０ａ〜１０ｐおよびイタバネ８ａ、８ｂの動きに対する影響を軽減し、一層性能を良くすることができる。
【００６０】
同様に、本来の支持系イタバネ１０ａ〜１０ｐの形状も種々変形可能である。例えば、イタバネ２２ａ〜２２ｌのように屈曲部が２つ連続するＳ字状とすることもできる。全体レイアウトによっては、Ｓ字状の方が、配置が容易で、大きさを小さくでき、組立性も良好にできる。
【００６１】
さらに、面対称の基準面や回転対称の基準軸は、必ずしも光軸を通らなくても、光軸と平行であれば良い。例えば、図９に示すように、イタバネ１５ａ〜１５ｐが光軸と通る面１８に対して対称でなく、ホルダ２の中心を通り光軸に平行な面２３に関して対称であっても良い。この場合も、イタバネ１５ａ〜１５ｐよりホルダ２に加わる力をバランス良くし、本来の支持系イタバネ１０ａ〜１０ｐおよびイタバネ８ａ、８ｂの動きに対するイタバネ１５ａ〜１５ｐの影響を軽減し、性能を良くすることができる。なお、イタバネ１５ａ〜１５ｐは、対称に配置されてなくても、多少バランスの点では悪くなるが、液晶素子７への給電を行えることには変わりなく、スペースの影響などで対称に配置できない場合は、対称的な配置にこだわる必要はない。
【００６２】
また、本実施の形態では、対物レンズ１と収差補正素子である液晶素子７とを、ホルダ２に直接固定したが、図１０に示すように、予め対物レンズ１と液晶素子７とをそれらの光軸を正確に一致させて鏡筒２４に固定し、その鏡筒２４をホルダ２に固定しても良い。このように、鏡筒２４を介すことで、光軸合わせが容易になり、また部品としての扱いも容易になる。
【００６３】
（第２実施の形態）
図１１〜図２１は本発明の第２実施の形態を示すもので、図１１は上面図、図１２は側面図、図１３は図１１のＦ−Ｆ線断面図、図１４はホルダの突起部の部分拡大図、図１５は給電用ワイヤバネの詳細図、図１６はトラッキングコイルの拡大図、図１７〜図２１は第２実施の形態の変形例を説明するための図である。
【００６４】
図１１〜図１３に示すように、本実施の形態の光ピックアップは、第１実施の形態のものと形状は異なるが、第１実施の形態と同様に、ホルダ２に対物レンズ１、収差補正素子である液晶素子７、フォーカスコイル４ａ、４ｂ、トラッキングコイル６ａ〜６ｄが接着国定されている。
【００６５】
ホルダ２には、さらに、ベリリウム銅で作られたワイヤバネ３１ａ〜３１ｄ（３１ｂは図示せず）の一端が固定されている。本実施の形態では、ホルダ２に突起部２５ａ、２５ｂを設けると共に、突起部２５ａ、２５ｂの各々には、図１４に突起部２５として示すように、Ｖ溝２６ａと、その奥にワイヤバネ３１より少し広い溝２６ｂとを設け、溝２６ｂにワイヤバネ３１をはめて、溝２６ａ、２６ｂに接着剤２７を充填することで、ワイヤバネ３１を固定している。なお、図１４では、１本のワイヤバネ３１について説明したが、ワイヤバネの数だけＶ溝などが設けられていることは言うまでもない。
【００６６】
また、ホルダ２には、プリント基板３０ａ、３０ｂが貼られており、そのランド部にワイヤバネ３１ａ〜３１ｄが半田付けされている。プリント基板３０ａ、３０ｂには、フォーカスコイル４ａ、４ｂ、トラッキングコイル６ａ〜６ｄの端末も半田付けされて、ワイヤバネ３１ａ〜３１ｄと電気的に接続されている。
【００６７】
ワイヤバネ３１ａ〜３１ｄの他端は、バネウケ２８に固定され、これによりホルダ２は、ワイヤバネ３１ａ〜３１ｄによって、バネウケ２８に対して、記録媒体のトラックを横断する方向（Ｘ方向）および記録媒体面の垂直方向（Ｚ方向）に移動可能に支持されている。さらに、ワイヤバネ３１ａ〜３１ｄは、図示していない外部の電気回路に接続されている基板２９に半田５０で接続され、これによりフォーカスコイル４ａ、４ｂ、トラッキングコイル６ａ〜６ｄは、ワイヤバネ３１ａ〜３１ｄを介して、外部の電気回路と接続されるようになっている。
【００６８】
バネウケ２８には、破線２８ａ、２８ｂで示したような凹部が設けられており、ここにシリコーンゲルが充填されて、ワイヤバネ３１ａ〜３１ｄの不要な振動がダンピングされるようになっている。
【００６９】
さらに、ホルダ２には、ベリリウム銅で作られたワイヤバネ３２ａ〜３２ｄ（３２ｃは図示せず）も固定されている。固定方法は、ワイヤバネ３１ａ〜３１ｄと同様である。ここで、ワイヤバネ３２ａ〜３２ｄおよびワイヤバネ３１ａ〜３１ｄは、同じ径となっており、これにより径を異ならせる場合よりも、組立性を向上させている。
【００７０】
ワイヤバネ３２ａ〜３２ｄの一端は、ワイヤバネ３１ａ〜３１ｄと同様に、プリント基板３０ａ、３０ｂのランド部に半田付けされ、その先には、液晶素子７の端末が接続されている。また、ワイヤバネ３２ａ〜３２ｄの他端も、ワイヤバネ３１ａ〜３１ｄと同様に、バネウケ２８に固定されて基板２９に半田５０で接続され、これにより液晶素子７は、ワイヤバネ３１ａ〜３１ｄを介して、外部の電気回路と接続されるようになっている。なお、ワイヤバネ３２ａ〜３２ｄも、ワイヤバネ３１ａ〜３１ｄと同じく、バネウケ２８の凹部２８ａ、２８ｂに充填されたシリコーンゲルにより、不要な振動がダンピングされるようになっている。
【００７１】
ワイヤバネ３２ａ〜３２ｄの各々には、図１５にワイヤバネ３２として示すように、半円状の屈曲部３３が設けられており、この屈曲部３３がバネ全体の長手方向に伸縮して、剛性が下がり、ワイヤバネ３１ａ〜３１ｄと同じ径であっても、それよりもバネ定数が小さくなっている。
【００７２】
バネウケ２８は、鉄製のベース１２に固定されている。ベース１２の立ち上げ部１２ａ、１２ｂには、図１１および図１２に示すように、磁石１３ａ、１３ｂが、Ｎ極とＳ極が対向するように配置されており、磁石１３ａから磁石１３ｂに向けて矢印１４のように磁束が進み、磁石１３ｂに到達した磁束は、ベース１２を通って磁石１３ａに戻るようになっている。
【００７３】
ここで、磁石１３ａ、１３ｂによる磁束密度は、磁石１３ａと磁石１３ｂとに挟まれた範囲内が高く、主にこの範囲内にあるコイルの辺が、磁界から力を受ける。したがって、フォーカスコイル４ａ、４ｂは、辺５ｈ、５ｉが主に磁界より力を受けて、Ｚ方向に駆動力を発生する。また、トラッキングコイル６ａ〜６ｄは、図１６にトラッキングコイル６ａを示すように、いわゆる小判型に形成されているので、上記の範囲内にある辺５ｊ〜５mが主に磁界より力を受けて、Ｘ方向に駆動力を発生する。
【００７４】
本実施の形態では、フォーカスエラーが検出された場合は、フオーカスコイル４ａ、４ｂに電流を流すことによって、ホルダ２を記録媒体に垂直な方向に駆動する。また、トラッキングエラーが検出された場合は、トラッキングコイル６ａ〜６ｄに電流を流すことによって、ホルダ２を記録媒体の半径方向に駆動する。これらの動作は、ホルダ２を支持するワイヤバネ３１ａ〜３１ｄを経由してフォーカスコイル４ａ、４ｂ、トラッキングコイル６ａ〜６ｄに給電することによって行われる。また、球面収差が検出されたときは、ワイヤバネ３２ａ〜３２ｄを経由して液晶素子７に電圧を印加することにより、波面を補正して球面収差を補正する。
【００７５】
本実施の形態によれば、液晶素子７に、屈曲部３３を持つワイヤバネ３２ａ〜３２ｄを用いて給電するようにしたので、バネを撓み易くでき、これにより取り付け位置のずれなどの影響を小さくでき、組立性をさらに良好にできる。
【００７６】
なお、従来の光ピックアップとして、フレキシブル基板を用いて、フォーカスコイル、トラッキングコイルへ給電するものがある。この場合には、フレキシブル基板の配線を増やすことで、比較的容易に液晶素子への給電も行うことが可能となる。しかしながら、本実施の形態のように、フォーカスコイル４ａ、４ｂ、トラッキングコイル６ａ〜６ｄへの給電を支持部材であるワイヤバネ３１ａ〜３１ｄを経由して行う装置では、前述したように液晶素子への配線を容易に行うことができないため、本実施の形態のような給電手段を適用することによるメリットは大きくなる。
【００７７】
本実施の形態において、ワイヤバネ３２ａ〜３２ｄは、図１５に示す形状に限定されることなく、スペース的な問題と、ワイヤの太さなどに合わせて、適切な形状にすることができる。例えば、図１７に示すように、離間して２個の半円状の屈曲部３３ａ、３３ｂを設けたり、あるいは３個以上の半円状の屈曲部を設けたりすることもできる。また、図１８に示すように、屈曲部３３をＳ字状に形成することもできる。
【００７８】
さらに、図１９に示すように、コイル状の屈曲部３４を形成しても良い。この場合、バネの製作が、半円状あるいはＳ字状の突起部の場合よりも若干難しくなるが、ワイヤバネ３２の両端３５、３６の付置ずれの許容量が大きくなり、ホルダ２を支持するワイヤバネ３１ａ〜３１ｄへの影響をより小さくでき、性能をより高めることができる。
【００７９】
また、図２０に示すように、ワイヤでなく、イタバネ４２で図示のような屈曲部３７を形成しても良い。このように、イタバネ４２を用いる場合には、エッチングやプレスにより、一筆書きでない形状も容易に形成できるので、自由度が高まり、最適なバネ定数を得ることができる。さらに、図２１に示すように、ワイヤバネ３２全体を屈曲させた形状とすることもできる。
【００８０】
（第３実施の形態）
図２２および図２３は本発明の第３実施の形態を示すもので、図２２は上面図、図２３は側面図（磁石１３ｃおよびベース１２の立ち上げ部１２ｃは図示していない）である。
【００８１】
本実施の形態では、第２実施の形態と異なり、ホルダ２には対物レンズ１のみが固定され、液晶素子７は搭載されていない。また、ホルダ２には、チルトコイル４０ａ、４０ｂが固定されていると共に、ホルダ２を支持するためのワイヤバネ３１ａ〜３１ｄ以外のワイヤバネは、４本から２本のワイヤバネ３２ａ、３２ｂに減少し、これらワイヤバネ３２ａ、３２ｂがフレキシブル基板３０ａ、３０ｂを介してチルトコイル４０ａ、４０ｂに電気的に接続されている。なお、ワイヤバネ３２ａ、３２ｂの本数は減少しているが、それらの固定方法などについては、第２実施の形態と同じであり、チルトコイル４０ａ、４０ｂはワイヤバネ３２ａ、３２ｂを介して外部の電気回路に接続されている。なお、ワイヤバネ３２ａ、３２ｂは、第２実施の形態と同様に屈曲部を有するが、本実施の形態では、後述するチルトコイル４０ａ、４０ｂ、磁石１３ｃ、１３ｄを避けて、Ｙ方向にずれた位置に設けられている。
【００８２】
また、ベース１２には、チルトコイル４０ａ、４０ｂに対向する部分にも、立ち上げ部１２ｃ、１２ｄが設けられており、これら立ち上げ部１２ｃ、１２ｄに磁石１３ｃ、１３ｄが接着されている。図２３に示すように、チルトコイル４０ａは、いわゆる小判形に形成されている。なお、図２３には、磁石１３ｃが位置する部分を２点鎖線３８で示している。磁石１３ｃは、Ｚ＋方向のチルトコイル４０ａ側の表面（３９ｂのあたり）がＮ極、Ｚ−方向のチルトコイル４０ａ側の表面（３９ａのあたり）がＳ極に着磁された、いわゆる異極着磁磁石となっている。したがって、磁石１３ｃに対向するチルトコイル４０ａの辺４１ｂと４１ａとは、異なる方向の磁界を受けることになる。また、チルトコイル４０ａは、相対する辺４１ｂと４１ａとで流れる電流の向きが逆であり、磁界、電流とも逆であるので、磁界より受ける力の方向は、辺４１ｂと４１ａとで同じになり、チルトコイル４０ａはＺ方向の力を受ける。
【００８３】
磁石１３ｃ、チルトコイル４０ａの関係は、磁石１３ｄ、チルトコイル４０ｂでも同じである。ただし、チルトコイル４０ａがＺ＋方向の力を受けるとき、チルトコイル４０ｂはＺ−方向の力を受けるように配線されている。これにより、チルトコイル４０ａ、４０ｂに電流を流すと、ホルダ２はＹ軸回りに回転するような力を受け、ホルダ２および対物レンズ１はＹ軸回りにチルト駆動され、それに追従してワイヤバネ３１ａ〜３１ｄ、３２ａ、３２ｂが撓むことになる。
【００８４】
本実施の形態では、記録媒体に対する対物レンズ１の傾き、すなわち対物レンズ１のＹ軸回りのチルトを検出し、そのチルト量に応じてワイヤバネ３２ａ、３２ｂを介してチルトコイル４０ａ、４０ｂに給電することにより、チルトを補正するようにホルダ２をＹ軸回りに回転駆動して、チルトによる信号劣化を防止する。
【００８５】
この他の構成および動作は、第２実施の形態とほぼ同じである。
【００８６】
本実施の形態によれば、ワイヤバネ３２ａ、３２ｂを用いてチルトコイル４０ａ、４０ｂへの給電を行うようにしたので、少ない線に信号を重畳する必要がなく、電気回路を単純化できると共に、電気特性を良好にできる。また、ワイヤバネ３２ａ、３２ｂを用いることで、リッツ線などで配線する場合に比べて、組立性も良好にすることができる。
【００８７】
また、ワイヤバネ３２ａ、３２ｂに、第２実施の形態と同様に屈曲部を形成したので、バネを撓み易くし、取り付け位置のずれなどの影響を小さくでき、さらに組立性を良好にできる。
【００８８】
本実施の形態においても、第２実施の形態の場合と同様に、チルトコイル４０ａ、４０ｂへの給電を行うワイヤバネ３２ａ、３２ｂは、例えば、図１７〜図２１に示したような変形が可能であることは言うまでもない。また、ワイヤバネ３２ａ、３２ｂに代えて、第１実施の形態で示したような給電のためのイタバネ構造も適応可能である。
【００８９】
さらに、第２実施の形態と同様に、ホルダ２に液晶素子も搭載し、この液晶素子に給電するためのワイヤバネの本数を増やすことも可能である。
【００９０】
なお、本発明において、対物レンズや、対物レンズおよび収差補正素子を保持するホルダを、記録媒体のほぼ垂直方向および／またはトラックを横断する方向に移動可能に支持する支持手段は、上記実施の形態で説明した構成のものに限らず、例えば、樹脂製の弾性部材で支持したり、軸に対して回動および摺動可能に支持したりするなど種々変形可能であり、このような種々の支持手段を備える光ピックアップに対して、本発明に係る給電構造を適応することができる。
【図面の簡単な説明】
【００９１】
【図１】本発明の第１実施の形態に係る光ピックアップの上面図である。
【図２】図１のＡ−Ａ線断面図である。
【図３】図２のＣ矢視図である。
【図４】図２のＢ−Ｂ線断面図である。
【図５】図４のＤ矢視図である。
【図６】図４の要部のＥ矢視図である。
【図７】第１実施の形態の変形例を説明するための図である。
【図８】同じく、変形例を説明するための図である。
【図９】同じく、変形例を説明するための図である。
【図１０】同じく、変形例を説明するための図である。
【図１１】本発明の第２実施の形態に係る光ピックアップの上面図である。
【図１２】同じく、側面図である。
【図１３】図１１のＦ−Ｆ線断面図である。
【図１４】ホルダの突起部の部分拡大図である。
【図１５】給電用ワイヤバネの詳細図である。
【図１６】トラッキングコイルの拡大図である。
【図１７】第２実施の形態の変形例を説明するための図である。
【図１８】同じく、変形例を説明するための図である。
【図１９】同じく、変形例を説明するための図である。
【図２０】同じく、変形例を説明するための図である。
【図２１】同じく、変形例を説明するための図である。
【図２２】本発明の第３実施の形態に係る光ピックアップの上面図である。
【図２３】同じく、側面図である。
【符号の説明】
【００９２】
１  対物レンズ
２  ホルダ
４ａ，４ｂ  フォーカスコイル
６ａ〜６ｄ  トラッキングコイル
７  液晶素子
８ａ，８ｂ  イタバネ
９  バネウケ
１０ａ〜１０ｐ  イタバネ
１１  べース
１２  ベース
１２ａ〜１２ｄ  立ち上げ部
１３ａ〜１３ｄ  磁石
１５ａ〜１５ｐ  イタバネ
２０  光軸
２４  鏡筒
２５ａ，２５ｂ  突起部
２８  バネウケ
２９  基板
３０ａ，３０ｂ  プリント基板
３１ａ〜３１ｄ  ワイヤバネ
３２ａ〜３２ｄ  ワイヤバネ
３３，３４，３７  屈曲部
４０ａ，４０ｂ  チルトコイル
５０  半田
【図１】
2005222648.tif 000003
【図２】
2005222648.tif 000004
【図３】
2005222648.tif 000005
【図４】
2005222648.tif 000006
【図５】
2005222648.tif 000007
【図６】
2005222648.tif 000008
【図７】
2005222648.tif 000009
【図８】
2005222648.tif 000010
【図９】
2005222648.tif 000011
【図１０】
2005222648.tif 000012
【図１１】
2005222648.tif 000013
【図１２】
2005222648.tif 000014
【図１３】
2005222648.tif 000015
【図１４】
2005222648.tif 000016
【図１５】
2005222648.tif 000017
【図１６】
2005222648.tif 000018
【図１７】
2005222648.tif 000019
【図１８】
2005222648.tif 000020
【図１９】
2005222648.tif 000021
【図２０】
2005222648.tif 000022
【図２１】
2005222648.tif 000023
【図２２】
2005222648.tif 000024
【図２３】
2005222648.tif 000025